(57)【特許請求の範囲】
【請求項１】
遊技機に設けられ、遊技機側に固定されるベースと、該ベースに対して摺動可能に係合されるボタン操作部とを備えた押下可能な押しボタンスイッチであって、
前記ベースあるいは前記ボタン操作部の何れか一方に設けられた案内軸と、
何れか他方に設けられた、前記案内軸が摺動可能に挿入される挿入穴と、
前記ベースと前記ボタン操作部との間に配設された弾性部材と、
前記ベースの中央に配設された演出部品と、
前記ベースあるいは前記ボタン操作部の少なくとも何れか一方に、前記案内軸の軸方向と直交する面方向に所定距離移動可能に配設されたスペーサ部材と、を備え、
前記スペーサ部材の中央に、前記挿入穴となる穴あるいは前記案内軸となる軸が形成され、かつ、
前記案内軸、前記挿入穴および前記スペーサ部材は、前記演出部品の周囲に分散して配置されていることを特徴とする押しボタンスイッチ。
【請求項２】
前記スペーサ部材は、
前記案内軸の軸方向に延びる筒状部と、
該筒状部の外周に形成され、前記軸方向と直交する面方向に延び、前記軸方向より見て円形をなすフランジ部と、を有することを特徴とする請求項１に記載の押しボタンスイッチ。
【請求項３】
前記ベースあるいは前記ボタン操作部は、前記スペーサ部材が取り付けられる板状部材を有し、
該板状部材には、前記筒状部が緩挿される穴部と、前記フランジ部が緩嵌される円形の凹部が設けられ、
前記スペーサ部材は、前記筒状部が前記穴部に緩挿されると共に、前記フランジ部が前記凹部に緩嵌されていることを特徴とする請求項２に記載の押しボタンスイッチ。
【請求項４】
前記凹部は、前記板状部材における、前記ボタン操作部の押下時に前記弾性部材の弾性力が加わる側の面に形成されていることを特徴とする請求項３に記載の押しボタンスイッチ。
【請求項５】
前記ベースに前記案内軸が設けられ、
前記ボタン操作部に前記挿入穴が設けられ、
前記ボタン操作部に前記スペーサ部材が配設され、
前記挿入穴が該スペーサ部材に形成された穴からなることを特徴とする請求項１から４の何れか１項に記載の押しボタンスイッチ。
【発明の詳細な説明】
【技術分野】
【０００１】
本発明は、遊技機に搭載される押しボタンスイッチに関する。
【背景技術】
【０００２】
従来、遊技機としてスロットマシンやパチンコ機が広く普及している。このような遊技機には、押しボタンスイッチが設けられ、ボタン部を点滅させる等の演出により、遊技者にゲームへの期待感等を持たせることが行われている。
【０００３】
押しボタンスイッチは、一般的に、遊技機に固定されるベースに、操作部材であるボタン部が摺動可能に取り付けられ、ベースと操作部材との間に、押下されたボタン部を押下前の状態に復帰させる付勢バネを介在させた構成である。
【０００４】
例えば、特許文献１には、ボタン部内部に設けられた軸筒（軸に相当）が、ベース側に設けられると共に内部にスプリングを収容した円筒部（筒状体に相当）内に摺動可能に係合され、ボタン部の押下に伴って円筒部内のスプリングを軸筒で押圧し、押圧されたスプリングの弾性力によってボタン部を押下前の状態に戻す押しボタンスイッチが開示されている。
【０００５】
また、ボタン部に対する演出の１つとして、例えば、特許文献２には、押しボタンスイッチの裏側に振動モータを取り付ける構成が開示されている。
【先行技術文献】
【特許文献】
【０００６】
【特許文献１】特開２０１１−１３５９０７号公報（２０１１年７月１４日公開）
【特許文献２】特開２００７−０７５３３１号公報（２００７年３月２９日公開）
【発明の概要】
【発明が解決しようとする課題】
【０００７】
ところで、よりインパクトの強い演出を行うために、押しボタンスイッチはますます大型化されており、振動についてもより強い衝撃を与えることができる振動機構の搭載が望まれている。
【０００８】
このような中、本願出願人は、大型の押しボタンスイッチのボタン部内部に、大型の振動用ソレノイド等の演出部品を備える構成を試みた。しかしながら、その場合、組立不良が発生しやすく、ボタン部の摺動性が悪くなって操作感が低下することを確認した。これについて説明する。
【０００９】
ボタン部内部に大型の演出部品を配置する場合、演出部品がボタン部中央に配置され、付勢バネやベースとボタン部とを摺動可能にする軸および筒状体は、該演出部品の周囲に複数個に分散して配置されることとなる。
【００１０】
しかしながら、ボタン部およびベースは、通常、樹脂成形品より構成されるため、成形環境や材料収縮率の関係から寸法が個々に異なる。小さな成形品であれば、成形条件で管理することも可能だが、大きなサイズのものはサイズに比例して寸法精度が悪くなる。
【００１１】
そのため、ボタン部内部に設けられた複数の軸（あるいは筒状態）と、ベース側に設けられた複数の筒状体（あるいは軸）との間で寸法ずれが生じてしまう。その結果、組立が不可能となって歩留りが低下し、また、たとえ組立は可能であったとしても、ボタン部の摺動性が悪くなって操作感が低下したりする。
【００１２】
本発明は、上記の問題点に鑑みなされたものであり、その目的は、樹脂成形品で構成しながらも、良好な操作性が得られ、歩留りも良好に維持できる、さらなる大型化に対応可能な押しボタンスイッチを提供することにある。
【課題を解決するための手段】
【００１３】
本発明に係る押しボタンスイッチは、上記課題を解決するために、遊技機に設けられ、遊技機側に固定されるベースと、該ベースに対して摺動可能に係合されるボタン操作部とを備えた押下可能な押しボタンスイッチであって、前記ベースあるいは前記ボタン操作部の何れか一方に設けられた案内軸と、何れか他方に設けられた、前記案内軸が摺動可能に挿入される挿入穴と、前記ベースと前記ボタン操作部との間に配設された弾性部材と、前記ベースの中央に配設された演出部品と、前記ベースあるいは前記ボタン操作部の少なくとも何れか一方に、前記案内軸の軸方向と直交する面方向に所定距離移動可能に配設されたスペーサ部材と、を備え、前記スペーサ部材の中央に、前記挿入穴となる穴あるいは前記案内軸となる軸が形成され、かつ、前記案内軸、前記挿入穴および前記スペーサ部材は、前記演出部品の周囲に分散して配置されていることを特徴としている。
【００１４】
上記構成によれば、ベースあるいはボタン操作部の少なくとも何れか一方にスペーサ部材が、案内軸の軸方向と直交する面方向に所定距離移動可能に配設されており、該スペーサ部材の中央に挿入穴となる穴あるいは案内軸となる軸が形成されている。したがって、たとえベースあるいはボタン操作部が樹脂成形品からなり、大型化に伴って寸法精度が低下して、案内軸と挿入穴との位置が合わなくなっても、スペーサ部材が面方向に移動して位置ずれを吸収することができる。
【００１５】
大型化され、かつ、案内軸と挿入穴とが演出部品の周囲に分散して複数配設される構成では、樹脂成形品の寸法精度を高めることで、案内軸と挿入穴の全ての組において、良好な摺動性を確保することは困難である。しかしながら、上記構成のように、少なくとも案内軸あるいは挿入穴を、所定範囲内で面方向にスペーサ部材に設けた軸あるいは穴とすることで、樹脂成形品の寸法精度をこれまで通りとしながら、案内軸と挿入穴の全ての組において、良好な摺動性を確保することが可能となる。
【００１６】
これにより、樹脂成形品にて構成しながらも、良好な操作性が得られ、歩留りも良好に維持できる、さらなる大型化に対応可能な押しボタンスイッチを提供することができる。
【００１７】
本発明に係る押しボタンスイッチは、さらに、前記スペーサ部材は、前記案内軸の軸方向に延びる筒状部と、該筒状部の外周に形成され、前記軸方向と直交する面方向に延び、前記軸方向より見て円形をなすフランジ部と、を有する構成とすることもできる。
【００１８】
上記構成によれば、筒状部を挿入穴とする、あるいは筒状部に案内軸を固定し、円形のフランジ部を、前記ベースあるいは前記ボタン操作部における案内軸の軸方向と直交する面に、当該面に沿って所定距離移動可能に配設することで、軸方向の直交する面方向に移動可能なスペーサ部材を容易に実現することができる。
【００１９】
本発明に係る押しボタンスイッチは、さらに、前記ベースあるいは前記ボタン操作部は、前記スペーサ部材が取り付けられる板状部材を有し、該板状部材には、前記筒状部が緩挿される穴部と、前記フランジ部が緩嵌される円形の凹部が設けられ、前記スペーサ部材は、前記筒状部が前記穴部に緩挿されると共に、前記フランジ部が前記凹部に緩嵌されている構成とすることができる。
【００２０】
上記構成によれば、板状部材に設けられた穴部にスペーサ部材の筒状部を緩挿させると共に、板状部材の凹部にスペーサ部材のフランジ部を緩嵌させることで、スペーサ部材を軸方向の直交する面方向に移動可能に容易に配設することができる。
【００２１】
本発明に係る押しボタンスイッチは、さらに、前記凹部は、前記板状部材における、前記ボタン操作部の押下時に前記弾性部材の弾性力が加わる側の面に形成されている構成とすることが好ましい。
【００２２】
上記構成によれば、フランジ部を緩嵌される凹部が、板状部材における、ボタン操作部の押下時に弾性部材の弾性力が加わる側の面に形成されているので、弾性力にてスペーサ部材が板状部材から抜脱するといった事態の招来を効果的に回避できる。
【００２３】
本発明に係る押しボタンスイッチは、さらに、前記ベースに前記案内軸が設けられ、前記ボタン操作部に前記挿入穴が設けられ、前記ボタン操作部に前記スペーサ部材が配設され、前記挿入穴が該スペーサ部材に形成された穴からなる構成とすることができる。
【発明の効果】
【００２４】
本発明によれば、樹脂成形品で構成しながらも、良好な操作性が得られ、歩留りも良好に維持できる、さらなる大型化に対応可能な押しボタンスイッチを提供することができるという効果を奏する。
【図面の簡単な説明】
【００２５】
【図１】本実施の形態に係る押しボタンスイッチを搭載したスロットマシンの概観斜視図である。
【図２】上記押しボタンスイッチの外観斜視図である。
【図３】上記押しボタンスイッチの分解斜視図である。
【図４】上記押しボタンスイッチのベースを説明するためのベースの外観斜視図である。
【図５】上記押しボタンスイッチにおけるボタン操作部の分解斜視図である。
【図６】上記ボタン操作部の底カバーの分解斜視図である。
【図７】上記底カバーに取り付けられるスペーサ部材の外観斜視図である。
【図８】上記スペーサ部材が取り付けられた状態の上記底カバーの要部を説明するためのす図である。
【図９】上記ベースに上記ボタン操作部の底カバーだけが嵌め合わされた状態を示す図である。
【図１０】押下操作前（押上位置）の上記押しボタンスイッチの状態を説明するための上記押しボタンスイッチの断面図である。
【図１１】押下操作後（押下位置）の上記押しボタンスイッチの状態を説明するための上記押しボタンスイッチの断面図である。
【発明を実施するための形態】
【００２６】
以下、本発明の実施の形態について詳細に説明する。本実施の形態では、遊技機としてのスロットマシンに搭載された押しボタンスイッチを例示する。
【００２７】
［スロットマシン１の構成］
図１は、本実施の形態に係る押しボタンスイッチ１０を搭載したスロットマシン１の概観斜視図である。図１に示すように、スロットマシン１は、遊技者（操作者）と対峙する前面の中央部にリール部５が設けられている。
【００２８】
リール部５には、複数種類のシンボルが表示された複数のリール（図示せず）が備えられている。複数のリールは、遊技者がスイッチ部７に設けられたスタートキーを操作することで回転を開始し、停止キーを操作することで停止する。リールが停止したときにリール部５の窓（図示せず）に表示されているシンボルの揃い方とその揃っているシンボルとによって役が決定する。遊技者には、決定した役とベット数（賭け数）とに応じて賞が付与される。なお、リール部５の構成としては、リールが実際に設けられている構成の他、リール部５が液晶画面等の表示画面より構成されていて、リールに相当する画像が表示されている構成などであってもよい。
【００２９】
リール部５の下方には、複数の押圧式のスイッチからなるスイッチ部７および押しボタンスイッチ１０が設けられている。スイッチ部７および押しボタンスイッチ１０は、遊技者からの操作を受け付けるものである。スイッチ部７は、遊技者から、リール部５におけるリールの回転開始の指示や停止指示、スロットマシン１をプレイするときのベット数の指定を受け付ける。押しボタンスイッチ１０は各種の演出に用いられる。本実施の形態のスロットマシン１は、この押しボタンスイッチ１０の構成に特徴があり、以下、これについて詳細に説明する。
【００３０】
［押しボタンスイッチ１０の構成］
図２は、押しボタンスイッチ１０の外観斜視図であり、（ａ）は押しボタンスイッチ１０を斜め上方より見ており、（ｂ）は押しボタンスイッチ１０を裏返して斜め上方より見ている。図３は、押しボタンスイッチ１０の分解斜視図であり、（ａ）は押しボタンスイッチ１０を斜め上方より見ており、（ｂ）は押しボタンスイッチ１０を裏返して斜め上方より見ている。図４は、ベース４０を説明するためのベース４０の外観斜視図であり、（ａ）はスプリング３１、シャフト３２およびソレノイド５０等が組み付けられた状態、（ｂ）はそれらが組み付けられる前のベース４０単体の状態である。
【００３１】
図２、図３に示すように、押しボタンスイッチ１０は、スロットマシン１に取り付けられるベース４０と、押下操作されるボタン操作部２０と、ベース４０とボタン操作部２０との間に配設される複数のスプリング（弾性部材）３１およびシャフト（案内軸）３２と、ソレノイド（演出部品）５０とを備えている。
【００３２】
図４に示すように、ベース４０は、有底円筒状の樹脂成形品であり、円筒部４１の内側に、円盤状のボタン操作部２０の外周が摺動する。ベース４０の底面４２の中央部には、ソレノイド５０を取り付けるための開口４２ａが形成されている。ソレノイド５０は、該開口４２ａからその下部側を突出させた状態で、ネジ等で固定されている（図２の（ｂ）参照）。ソレノイド５０は、押下されたボタン操作部２０に接触して、ボタン操作部２０に振動を与えるものである。
【００３３】
また、ベース４０の底面４２には、シャフト３２を取り付けるための取付穴４２ｂが形成されている。シャフト３２は、この取付穴４２ｂに裏面側からネジ３７で固定されている。また、取付穴４２ｂの周囲には、スプリング３１を安定して載置するためのリブ４２ｃが形成されている。スプリング３１は、固定されたシャフト３２に緩装され、リブ４２ｃの内側に安定して載置される。
【００３４】
さらに、ベース４０の底面４２には、ベース４０とボタン操作部２０の後述するレンズ部２２とを所定の間隔を保持して固定する固定部４２ｄが形成されている。固定部４２ｄには、ベース４０とレンズ部２２とを固定するネジ３８が挿通されるネジ穴が形成されている。
【００３５】
図３に戻り、ボタン操作部２０の底カバー２３には、シャフト３２が摺動可能なスペーサ部材３３が配設されている。スペーサ部材３３には穴３３ａが形成されており、該穴３３ａにてシャフト３２が挿入される挿入穴３６が構成されている。挿入穴３６と、シャフト３２と、スプリング３１とで、ベース４０に対してボタン操作部２０を押下可能に支持し、押下されたボタン操作部２０を押下前の状態に押上状態保持部３０が構成されている。本実施形態では、押上状態保持部３０は、ボタン操作部２０の中央に配されたソレノイド５０の周囲に４つ設けられている。
【００３６】
図５は、ボタン操作部２０の分解斜視図であり、（ａ）はボタン操作部２０を斜め上方より見ており、（ｂ）はボタン操作部２０を裏返して斜め上方より見ている。図５に示すように、ボタン操作部２０は、有底円筒状のボタンカバー２１と、その内側に配されるレンズ部２２と、ボタンカバー２１の底に嵌合される底カバー（板状部材）２３とを備えている。
【００３７】
ボタンカバー２１は、有底円筒状の樹脂成形品であり、有底円筒の底にあたる頂面２１ａが透明もしくは光透過性のある部材で構成されている。頂面２１ａの周囲から延びる円筒部２４が、ベース４０側の円筒部４１の内周を摺動する。ボタンカバー２１は、レンズ部２２を間に挟んだ状態で、底カバー２３とスナップフィット係合されており、一体に移動する。
【００３８】
レンズ部２２は、レンズ２２ａとその外周に取り付けられるレンズベース２２ｂからなり、レンズベース２２ｂとベース４０とが固定部４２ｄを介して、ベース４０の裏側より挿通されたネジ３８にて固定される（図３参照）。固定部４２ｄが介在することで、レンズ部２２とベース４０の底面４２との間には所定の間隔が保持される。一体化されたボタンカバー２１と底カバー２３とは、該間隔内で上下動する。なお、組立を容易にするために、レンズ部２２は底カバー２３に上下動可能にスナップフィット係合されている。
【００３９】
底カバー２３は、ボタンカバー２１の底面側を覆う円形の樹脂成形品である。底カバー２３の中央部には、ボタン操作部２０が押下された際に、ベース４０側に取り付けられたソレノイド５０と接触する当接部２３ａが形成されている。また、底カバー２３における当接部２３ａの周囲には、前述した押上状態保持部３０を構成するスペーサ部材３３が取り付けられると共に、固定部４２ｄが通る穴部２３ｆが形成されている。
【００４０】
［押上状態保持部３０の構成］
図６は、底カバー２３の分解斜視図であり、（ａ）は底カバー２３を斜め上方よりに見ており、（ｂ）は底カバー２３を裏返して斜め上方より見ている。図７は、底カバー２３に取り付けられるスペーサ部材３３の外観斜視図である。図８は、スペーサ部材３３が取り付けられた状態の底カバー２３の要部を示す図であり、（ａ）は底カバー２３の裏側を斜めに、（ｂ）は底カバー２３の表側を斜め、（ｃ）は底カバー２３の裏側を正面からそれぞれ見ており、（ｄ）は（ｃ）のＡ−Ａ線矢視断面図である。
【００４１】
図７に示すように、スペーサ部材３３は、シャフト３２の軸方向に延びる円筒部（筒状部）３３ｂを有している。該円筒部３３ｂの穴３３ａが、シャフト３２が摺動可能な挿入穴３６に相当する。円筒部３３ｂの外周のほぼ中央部には、シャフト３２の軸方向と直交する面方向に延び、軸方向より見て円形をなすフランジ部３３ｃが形成されている。フランジ部３３ｃを挟んで一方側の円筒部３３ｂ外周には、円筒部３３ｂの端部まで伸びるリブ３３ｄが形成されている。このようなスペーサ部材３３も樹脂成形品である。図６に示すように、スペーサ部材３３は、底カバー２３に裏面側（ベース４０と対向する側）から取り付けられる。
【００４２】
底カバー２３の裏面には、スペーサ部材３３の円筒部３３ｂが緩挿される穴部２３ｂが設けられ、その周囲には、スペーサ部材３３のフランジ部３３ｃが緩嵌される円形の凹部２３ｃが設けられている。スペーサ部材３３は、円筒部３３ｂが穴部２３ｂに緩挿されると共に、フランジ部３３ｃが凹部２３ｃに緩嵌されている。
【００４３】
図８の（ｄ）に示すように、スペーサ部材３３のフランジ部３３ｃの外周（外周面）と底カバー２３の円形の凹部２３ｃの内周（内周面）との間には、穴３３ａ（挿入穴３６）の中心を通る直線上の距離で、例えば０．３〜０.５ｍｍ程度の隙間を有している。同様に、スペーサ部材３３の円筒部３３ｂの外周（外周面）と底カバー２３の穴部２３ｂの内周（内周面）との間にも、穴３３ａ（挿入穴３６）の中心を通る直線上の距離で、同様に０．６〜０.８ｍｍ程度の隙間を有している。
【００４４】
これにより、スペーサ部材３３は、シャフト３２の軸方向と直交する面方向に、上記隙間に相当する０．３〜０.５ｍｍ程度の距離内で移動することが可能となっている。
【００４５】
また、組立を容易にするために、底カバー２３の裏面には、図８に示すように、凹部２３ｃの外周を囲う円形のリブ２３ｄが形成され、該リブ２３ｄを切り欠くことで、スペーサ部材３３をスナップフィット係合させる一対の爪部２３ｅが形成されている。爪部２３ｅは、スペーサ部材３３の凹部２３ｃ内の面方向への移動を阻害することなくスペーサ部材３３と係合するよう構成されている。但し、組立の容易性を考慮しない場合は、スペーサ部材３３を底カバー２３に取り付ける必要はなく、凹部２３ｃ内を移動可能なように組み立てることで十分である。
【００４６】
図９は、ベース４０にボタン操作部２０の底カバー２３だけが嵌め合わされた状態を示す図である。図９に示すように、底カバー２３は、スペーサ部材３３の穴３３ａである挿入穴３６に、ベース４０のシャフト３２が突き抜けるように、ベース４０に組み付けられる。このとき、ベース４０側のシャフト３２と底カバー２３側の挿入穴３６との間の位置ずれを、スペーサ部材３３が、上記隙間に相当する０．３〜０.５ｍｍ程度の距離内でシャフト３２の軸方向と直交する面方向に移動して吸収する。
【００４７】
これにより、押しボタンスイッチ１０のさらなる大型化が図られるなか、ベース４０やボタン操作部２０側の底カバー２３が従来通りの樹脂成形品から構成されたとしても、ベース４０側のシャフト３２と底カバー２３側の挿入穴３６との間の位置ずれに起因した、組立不良による歩留りの低下や、ボタン操作部２０の摺動性の悪化による操作感の低下等の問題を解決することができる。
【００４８】
ベース４０側のシャフト３２とこれが挿入されるボタン操作部２０側の挿入穴３６とが、１組だけ設けられている構成では、ベース４０側の取付穴４２ｂと、これに対応して設けられるボタン操作部２０側の挿入穴３６との間で多少の位置ずれがあったとしても、シャフト３２が挿入穴３６に入りさえすれば、組立は可能である。しかしながら、ベース４０側のシャフト３２とボタン操作部２０側の挿入穴３６とが複数設けられている構成では、ベース４０側の取付穴４２ｂとボタン操作部２０側の挿入穴３６との間で位置ずれがあると、１組についてシャフト３２を挿入穴３６に入れることはできても、その他の組では入れることさえできず、組立が不可能になる。その結果、ベース４０やボタン操作部２０は不良品となり、歩留りが低下する。また、たとえ組み立てることはできたとしても、全ての組のシャフト３２と挿入穴３６とが良好な摺動性を確保することは困難である。
【００４９】
［押しボタンスイッチ１０の動作］
図１０は、押下操作前（押上位置）の押しボタンスイッチ１０の状態を説明するための押しボタンスイッチ１０の断面図である。また、図１１は、押下操作後（押下位置）の押しボタンスイッチ１０の状態を説明するための押しボタンスイッチ１０の断面図である。
【００５０】
ボタン操作部２０が押下されると、図１１に示すように、スプリング３１が、底カバー２３に取り付けられたスペーサ部材３３のフランジ部３３ｃに押下されて圧縮する。このとき、スペーサ部材３３には、スプリング３１の弾性力が加わるが、スペーサ部材３３のフランジ部３３ｃが緩嵌される底カバー２３の凹部２３ｃが、弾性力が加わる側の面に形成されていて、スペーサ部材３３は底カバー２３に突き当たるので、弾性力にてスペーサ部材３３が抜脱するといった事態の招来を効果的に回避できる。
【００５１】
また、ボタン操作部２０の押下時、ベース４０に固定されたレンズ部２２は、押下操作前の位置を保持している。押下操作を解除すると、圧縮されたスプリング３１の弾性力で、ボタン操作部２０が持ち上げられ、図１０の状態に復帰する。
【００５２】
なお、本実施形態では、ベース４０にシャフト３２が設けられ、ボタン操作部２０に挿入穴３６が設けられ、ボタン操作部２０にスペーサ部材３３が配設され、挿入穴３６がスペーサ部材３３に形成された穴３３ａからなる構成を例示した。しかしながら、スペーサ部材３３がベース４０側に配設され、スペーサ部材３３に形成された穴３３ａが取付穴４２ｂとして機能し、これにシャフト３２が固定される構成であってもよい。
【００５３】
また、ベース４０に挿入穴３６が設けられ、ボタン操作部２０にシャフト３２が設けられ、ベース４０あるいはボタン操作部２０の何れかにスペーサ部材３３が配設され、スペーサ部材３３の穴３３ａが、挿入穴３６あるいはシャフト３２の取付穴４２ｂとして機能する構成であってもよい。さらには、スペーサ部材３３が、ベース４０とボタン操作部２０の両方に設けられ、挿入穴３６およびシャフト３２の両方で位置ずれを吸収して、より大きな寸法誤差に対応する構成とすることもできる。
【００５４】
また、本実施形態では、押上状態保持部３０を、ソレノイド５０の外周側の４カ所に配設した構成を例示したが、３カ所以上に分散して設けられていればよい。押上状態保持部３０の数が多い程、ボタン操作部２０の押下操作の操作感が良好になる。
【００５５】
ところで、押しボタンスイッチが大型になると、押上状態保持部３０の挿入穴３６およびシャフト３２を、押しボタンスイッチの中央に１つだけ設ける構成であっても、樹脂成形品で構成した場合には、組立不良や、ボタン操作部２０の摺動性の悪化等の不具合が発生する。これは、シャフト３２および挿入穴３６の径が大きくなることで、サイズに比例して寸法精度が悪くなるためである。そこで、このような場合にも、シャフト３２あるいは挿入穴３６の少なくとも一方を、上記したスペーサ部材３３を用いて構成することで、上記した不具合を解決することできる。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５７】
本発明は、遊技機に備えられる押しボタンスイッチに適用できる。
【符号の説明】
【００５８】
１  スロットマシン
１０  押しボタンスイッチ
２０  ボタン操作部
２１  ボタンカバー
２２  レンズ部
２３  底カバー（板状部材）
２３ｂ  穴部
２３ｃ  凹部
２３ｄ  リブ
２３ｅ  爪部
２３ｆ  穴部
２４  円筒部
３０  押上状態保持部
３１  スプリング（弾性部材）
３２  シャフト（案内軸）
３３  スペーサ部材
３３ａ  穴
３３ｂ  円筒部
３３ｃ  フランジ部
３６  挿入穴
４０  ベース
４２ｂ  取付穴
５０  ソレノイド（演出部品）
【図１】
0006354630.tif 000002
【図２】
0006354630.tif 000003
【図３】
0006354630.tif 000004
【図４】
0006354630.tif 000005
【図５】
0006354630.tif 000006
【図６】
0006354630.tif 000007
【図７】
0006354630.tif 000008
【図８】
0006354630.tif 000009
【図９】
0006354630.tif 000010
【図１０】
0006354630.tif 000011
【図１１】
0006354630.tif 000012